(57)【要約】【課題】表示におけるデザイン性・経済性・スリム化を求められている昨今、従来の透明アクリル板だけを使用したＬＥＤ表示装置では、デザイン性に限りがあり、ＬＥＤ光源消灯時には、壁等の背景が邪魔をし、文字等の表記が見にくい。また、一面だけの文字等の表現しか出来ない。そこで、消灯時でも文字等がはっきりと表現出来、尚且つデザイン性・経済的・スリム化を図れる両面使用可能ＬＥＤ表示装置が望まれる。【解決手段】両サイドの透明アクリル板の中に仕切り板を挟むことにより、ＬＥＤ光源の灯りが、仕切り板と透明アクリル板に照射され、デザインされた文字等が鮮明に表現出来る事を可能にした。消灯時でも、文字等の鮮明さが損なわれない。また、一面のみの表現だけではなく、裏側の表現を可能にした。両面使用可能。二つ導入するより、経済的で且つスリム化が図れる。仕切り板を変える事により、デザイン性の幅を広げることを可能にした。【選択図】図１
0003171886.tif 000002
【実用新案登録請求の範囲】
【請求項１】
両サイドの透明アクリル板の中に仕切り板を挟むことにより、ＬＥＤ光源の灯りが、仕切り板と透明アクリル板に照射・反射され、デザインされた文字等が鮮明に表現出来ることを特徴とする両面使用可能なＬＥＤ表示装置。
【請求項２】
両サイドの透明アクリル板の中に仕切り板を挟むことにより、ＬＥＤ光源消灯時でも、デザインされた文字等が鮮明に表現出来ることを特徴とする両面使用可能なＬＥＤ表示装置。
【請求項３】
両サイドの透明アクリル板の中に仕切り板を挟むことにより、一面のみの文字等の表現だけではなく、裏側の文字等の表現を可能にしことにより、二つ導入することに比べて、経済的で且つ場所をとらないスリム化を兼ね備えたことを特徴とする両面使用可能なＬＥＤ表示装置。
【請求項４】
仕切り板を変える事により、文字等の表現性・デザイン性に幅を持たせることを可能にしたことを特徴とする両面使用可能なＬＥＤ表示装置。
【考案の詳細な説明】
【技術分野】
【０００１】  本考案は、透明アクリル板と仕切り板を組み合わせることにより、デザインされた文字などを強調し、なお且つ一つの表示装置で異なった二種類の文字等の表記を可能にする、ＬＥＤ表示装置に関するものである。
【背景技術】
【０００２】  従来の透明アクリル板のみを使用したＬＥＤ表示装置は、透明であるためインテリアとしてのデザイン性に限りがあり、ＬＥＤ光源消灯時では、表記されている文字などが壁等の背景に重なり見にくいため、常時ＬＥＤ光源を点灯させておく必要があるのが一般的である。また、一つのＬＥＤ表示装置に一つのデザインしか表現出来ないという欠点があった。
【先行技術文献】
【特許文献】
【０００３】
【特許文献１】特開２００７−０３４２４６  公開特許公報
【特許文献２】特開２００４−２４６２６０  公開特許公報
【特許文献３】特開２０００−３４８５１８  公開特許公報
【考案の概要】
【考案が解決しようとする課題】
【０００４】  本考案が解決しようとする課題は、これらの欠点を鑑み、以下の４つを解決すべき課題としている。【０００５】  透明アクリル板にデザインされた文字等を鮮明に浮かび上がらすことにより、離れた場所から透明アクリル板に描かれたデザインされた文字等を、容易に確認できるＬＥＤ表示装置を可能にすることを課題としている（第一の課題）。【０００６】  環境・コスト面を考える上で、常時ＬＥＤ表示装置を点灯させずに、アクリル板にデザインされた文字等が壁等の背景に邪魔をされることがなく、鮮明に浮かび上がらすことが出来ることを課題としている（第二の課題）。【０００７】  経済的で、且つ場所をとらないスリム化を求められている昨今、従来の透明アクリル板のみを使用したＬＥＤ表示装置のように、一面のみの表記だけではなく、表面及び裏面の両面に用途別の２種類のデザインされた文字等の表記を可能にすることを課題としている（第三の課題）。【０００８】  単調なデザインに偏らない、インテリアとしての新たなデザイン性の幅を広げる効果を生むＬＥＤ表示装置を可能にすることを課題としている（第四の課題）。
【課題を解決するための手段】
【０００９】  課題を解決する手段として、以下の５つの手段を講じている。【００１０】  従来の透明アクリル板だけを使用したＬＥＤ表示装置と違い、両サイドの透明アクリル板の間に樹脂・金属・木・生地・蓄光板などを仕切り板として挟み込む構造にしている（第一の手段）。【００１１】  両サイド透明アクリル板の間に仕切り板を挟むことにより、外からの光およびＬＥＤ光源の灯りが透明アクリル板と仕切り板に照射され、光の反射および屈折を生じさせることにより、表示部を鮮明に且つ明るく照し、遠くからのデザインされた文字等の確認が容易になる構造にしている（第二の手段）。【００１２】  両サイド透明アクリル板の間に仕切り板を挟むことにより、透明アクリル板にデザインされた文字などが壁等の背景に邪魔されず表示され、ＬＥＤ光源を消灯しても、デザインされた文字等の表記が鮮明に浮かび上がる構造にしている（第三の手段）。【００１３】  両サイド透明アクリル板の間に仕切り板を挟むことにより、仕切り板の表面および裏面の透明アクリル板に異なる二種類のデザイン表記が可能となる。両面使用可能にすることにより、二つ導入することに比べて、経済的で且つスリム化を兼ね備えた構造にしている（第四の手段）。【００１４】  インテリアとしてのデザイン性を持たせるため、両サイドの透明アクリル板，仕切り板のデザインおよび形状を自由に取替え可能にすることにより、お客様のニーズに合う構造にしている（第五の手段）。
【考案の効果】
【００１５】  本考案の最大の効果は、従来の透明アクリル板だけを使用したＬＥＤ表示装置では、インテリアとしてのデザイン性に限りがあり、ＬＥＤ光源消灯時には、壁等の背景が邪魔をし、文字等の表記が見づらいため常時ＬＥＤ光源を点灯させておく必要があった。また、一面のみの文字等の表現に限定されているのが一般的であるが、その効果を要約すると次のようになる。
（１）二枚の透明アクリル板の間に仕切り板を挟む三層構造にすることにより、ＬＥＤの灯りが透明アクリル板と仕切り板に照射され、光の反射および屈折を起こすことが出来る。その効果により、透明アクリル板に描かれたデザインされた文字等をより明るく鮮明に浮き立たせることが出来る。そのことによって、遠くからのデザインされた文字等の確認が容易になり、表示による宣伝・販売・案内などの効果が期待出来る。
（２）ＬＥＤ光源消灯時においても、外からの光が仕切り板に反射および屈折される効果により、透明アクリル板にデザインされた文字等の鮮明さは確保される。そのことによって、常時ＬＥＤ光源を点灯させておく必要がなく、環境面・コスト面においても有効である。
（３）両サイドの透明アクリル板の中に仕切り板を挟むことにより、従来の透明アクリル板のみを使用したＬＥＤ表示装置のような一面のみの文字等の表現だけではなく、二面の文字等の表現を可能にした。両面使用可能である。そのことによって、一つのＬＥＤ表示装置で二つの案内・宣伝などが可能になる。二台導入するより経済的で、且つ場所をとらないスリム化を兼ね備えたことが特徴である。
（４）透明アクリル板および仕切り板の形状・デザインを変えることを可能にすることにより、インテリアとしてまったく新しい別の表現を実現可能にすることが出来るのも特徴である。そのことにより、お客様のニーズに合ったデザインの選択の幅が広がる。
【図面の簡単な説明】
【００１６】
【図１】本考案のＬＥＤ表示装置の斜視図である。
【図２】本考案のＬＥＤ表示装置の上面図である。
【考案を実施するための形態】
【００１７】  以下、本考案の実施の形態を図に基づいて説明する。
【実施例１】
【００１８】  図１の１および３の透明アクリル板に異なったデザインを表記する。デザインされた１および３の透明アクリル板の間に２仕切り板（樹脂・金属・木・生地・蓄光板など）を挟み三つを固定する。【００１９】  固定された部材を５ＬＥＤ光源表示ユニットに挿入し固定する。下からＬＥＤ光源を照射し、１および３に描かれたデザインを照らし、表示する。
【産業上の利用可能性】
【００２０】  本考案の目的として、広く案内掲示板および避難経路などに使用出来る他、室内照明器具などに使用できる。
【符号の説明】
【００２１】  １  透明アクリル板
２  仕切り板（樹脂・金属・木・生地・蓄光板など）
３  透明アクリル板
４  スイッチ類
５  ＬＥＤ光源表示ユニット
【図１】
0003171886.tif 000003
【図２】
0003171886.tif 000004
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
透明アクリル板（１）と透明アクリル板（３）の間に不透明な仕切り板（２）を挟んだ三層構造の表示部を、ＬＥＤ光源表示ユニット（５）に挿入し固定することにより、ＬＥＤ光源表示ユニット（５）の灯りが表示部に照射・反射され、透明アクリル板（１）および透明アクリル板（３）に描かれたデザインされた文字等が鮮明に表現出来ることを特徴とする両面使用可能なＬＥＤ表示装置。
【請求項２】
表示部を透明アクリル板（１）と透明アクリル板（３）の間に不透明な仕切り板（２）を挟んだ三層構造にすることにより、透明アクリル板（１）および透明アクリル板（３）に描かれたデザインされた文字等がＬＥＤ光源表示ユニット（５）の昼間節電および停電等の消灯時においても、表示部を鮮明に表現出来ることを特徴とする両面使用可能なＬＥＤ表示装置。
【請求項３】
表示部を透明アクリル板（１）と透明アクリル板（３）の間に不透明な仕切り板（２）を挟んだ三層構造にすることにより、不透明な仕切り板（２）が裏側に写る背景を隠す壁となり、透明アクリル板（１）と透明アクリル板（３）に異なる２種類のデザインされた文字等の表現が可能となる構造を特徴とする両面使用可能なＬＥＤ表示装置。
【請求項４】
透明アクリル板（１）と透明アクリル板（３）の間に不透明な仕切り板（２）を挟んだ三層構造の表示部をＬＥＤ表示装置から着脱可能な構造にすることにより、不透明な仕切り板（２）を樹脂・金属・木・生地・蓄光板等の多彩な素材を使用可能とすることにより、表示部の文字等の表現性・デザイン性を持たせることを可能にしたことを特徴とする両面使用可能なＬＥＤ表示装置。